(57)【要約】【課題】撮影によって得られた画像情報に簡易に付加情報を付加することのできる撮像装置を得る。【解決手段】ＣＰＵ４０により、予め定められた付加情報を示す２次元コードを被写体として、被写体を撮像することによって被写体像を示す画像情報を取得するＣＣＤ２４により撮像することによって得られた前記付加情報を、少なくとも当該付加情報を示す画像を除く被写体をＣＣＤ２４により撮像することによって取得された画像情報に付加する。【選択図】図２
2007288424.tif 000002
【特許請求の範囲】
【請求項１】
被写体を撮像することによって被写体像を示す画像情報を取得する撮像手段と、
予め定められた付加情報を示す画像を被写体として前記撮像手段により撮像することによって得られた前記付加情報を、少なくとも前記付加情報を示す画像を除く被写体を前記撮像手段により撮像することによって取得された画像情報に付加する付加手段と、
を備えた撮像装置。
【請求項２】
前記付加手段は、前記付加情報と前記画像情報を関連付けて記憶手段に記憶することにより前記付加情報を前記画像情報に付加する
請求項１記載の撮像装置。
【請求項３】
前記付加手段は、前記付加情報により示される画像が前記画像情報により示される被写体像に重ね合わされた状態となるように前記画像情報及び前記付加情報を合成して記憶手段に記憶することにより前記付加情報を前記画像情報に付加する
請求項１又は請求項２記載の撮像装置。
【請求項４】
前記付加情報は、文字情報及び画像情報の少なくとも一方である
請求項１乃至請求項３の何れか１項記載の撮像装置。
【請求項５】
前記付加手段は、前記付加情報の付加を所定期間内のみにおいて行う
請求項１乃至請求項４の何れか１項記載の撮像装置。
【請求項６】
前記所定期間は、当該撮像装置の予め定められた動作時間、当該撮像装置に対する所定操作の予め定められた実行回数、及び前記付加情報を示す画像情報が取得された時点からの予め定められた経過時間の何れか１つである
請求項５記載の撮像装置。
【請求項７】
前記付加情報は、当該付加情報の有効期間を示す有効期間情報を含み、
前記撮像手段により前記付加情報が得られたとき、当該付加情報に含まれる有効期間情報により示される有効期間を過ぎていた場合に前記付加手段による処理を禁止する禁止手段を更に備えた
請求項１乃至請求項６の何れか１項記載の撮像装置。
【請求項８】
前記予め定められた付加情報を示す画像は、１次元バーコード又は２次元コードである
請求項１乃至請求項７の何れか１項記載の撮像装置。
【発明の詳細な説明】
【技術分野】
【０００１】
本発明は、撮像装置に係り、特に、被写体を撮像することによって被写体像を示す画像情報を取得する撮像手段を有する撮像装置に関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する情報機器の需要が急増している。なお、以上のような撮影機能を有する情報機器を撮像装置と総称する。
【０００３】
ところで、以上のような撮像装置では、近年、その利便性を向上させるための種々の技術が提案されており、特許文献１には、複雑な操作を行うことなく所望モードを用いた撮影を可能にすることを目的として、バーコードデータカードやＲＯＭデータカードにビデオカメラの一連の操作プログラムデータを記録しておく一方、ビデオカメラに上記データカードのデータを読み取るバーコード読み取り部又はメモリデータ入力部を設け、読み取った操作プログラムデータに基づきマイコンが制御を実行する技術が開示されている。
【０００４】
また、特許文献２には、簡易に各種機能を設定可能とすることを目的として、機能設定項目とこれと対応する画像とを記憶する記憶手段と、画像を撮影する撮影手段と、前記撮影手段により撮影された画像が前記記憶手段に記憶された画像と一致するか否かを判定し、その判定結果に基づき機能設定を行う制御手段と、を有する技術が開示されている。
【特許文献１】特開平５−２６０３５５号公報
【特許文献２】特開２００３−２８９３５０号公報
【発明の開示】
【発明が解決しようとする課題】
【０００５】
ところで、前述した撮像装置にあっては、撮影によって得られた画像情報に対して各種情報を付加したい場合がある。例えば、撮影地の名称等の撮影地を特定できる情報や、撮影地を解説する情報を付加したい場合等である。
【０００６】
しかしながら、これを実現するためには、付加したい情報をユーザ自身によって撮像装置に入力する必要があり、著しく手間がかかる、という問題点があった。
【０００７】
これに対し、上記各特許文献に開示されている技術では、撮像装置の動作モードを設定することはできるものの、撮影によって得られた画像情報に対して各種情報を付加することはできない。
【０００８】
本発明は上記問題点を解決するためになされたものであり、撮影によって得られた画像情報に簡易に付加情報を付加することのできる撮像装置を提供することを目的とする。
【課題を解決するための手段】
【０００９】
上記目的を達成するために、本発明の撮像装置は、被写体を撮像することによって被写体像を示す画像情報を取得する撮像手段と、予め定められた付加情報を示す画像を被写体として前記撮像手段により撮像することによって得られた前記付加情報を、少なくとも前記付加情報を示す画像を除く被写体を前記撮像手段により撮像することによって取得された画像情報に付加する付加手段と、を備えている。
【００１０】
本発明の撮像装置によれば、撮像手段により被写体を撮像することによって被写体像を示す画像情報が取得される。なお、上記撮像手段には、ＣＣＤエリアセンサ、ＣＭＯＳイメージ・センサ等の固体撮像素子が含まれる。
【００１１】
ここで、本発明では、付加手段により、予め定められた付加情報を示す画像が被写体として前記撮像手段により撮像されることによって得られた前記付加情報が、少なくとも前記付加情報を示す画像を除く被写体が前記撮像手段により撮像されることによって取得された画像情報に付加される。
【００１２】
すなわち、本発明では、撮像によって取得された画像情報に付加したい付加情報を示す画像を予め用意しておき、当該画像を撮像することによって当該付加情報を入力するようにしており、これによって、当該付加情報を人手により入力する場合に生じる手間を回避するようにしている。
【００１３】
このように、本発明の撮像装置によれば、予め定められた付加情報を示す画像を被写体として、被写体を撮像することによって被写体像を示す画像情報を取得する撮像手段により撮像することによって得られた前記付加情報を、少なくとも前記付加情報を示す画像を除く被写体を前記撮像手段により撮像することによって取得された画像情報に付加するようにしているので、撮影によって得られた画像情報に簡易に付加情報を付加することができる。
【００１４】
なお、本発明の前記付加手段は、前記付加情報と前記画像情報を関連付けて記憶手段に記憶することにより前記付加情報を前記画像情報に付加するものとしてもよい。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブルディスク等の可搬記録媒体やハードディスク等の固定記録媒体等が含まれる。
【００１５】
また、本発明の前記付加手段は、前記付加情報により示される画像が前記画像情報により示される被写体像に重ね合わされた状態となるように前記画像情報及び前記付加情報を合成して記憶手段に記憶することにより前記付加情報を前記画像情報に付加するものとしてもよい。なお、上記記憶手段にも、ＲＡＭ、ＥＥＰＲＯＭ、フラッシュＥＥＰＲＯＭ等の半導体記憶素子、スマート・メディア（SmartMedia（登録商標））、フレキシブルディスク等の可搬記録媒体やハードディスク等の固定記録媒体等が含まれる。
【００１６】
また、本発明の前記付加情報は、文字情報及び画像情報の少なくとも一方であるものとしてもよい。
【００１７】
また、本発明の前記付加手段は、前記付加情報の付加を所定期間内のみにおいて行うものとしてもよい。この場合、前記所定期間は、当該撮像装置の予め定められた動作時間、当該撮像装置に対する所定操作の予め定められた実行回数、及び前記付加情報を示す画像情報が取得された時点からの予め定められた経過時間の何れか１つであるものとしてもよい。
【００１８】
また、本発明は、前記付加情報を、当該付加情報の有効期間を示す有効期間情報を含むものとし、前記撮像手段により前記付加情報が得られたとき、当該付加情報に含まれる有効期間情報により示される有効期間を過ぎていた場合に前記付加手段による処理を禁止する禁止手段を更に備えたものとしてもよい。
【００１９】
更に、本発明の前記予め定められた付加情報を示す画像は、１次元バーコード又は２次元コードであるものとしてもよい。なお、上記２次元コードには、ＱＲ（Quick Response）コード（登録商標）が含まれる。
【発明の効果】
【００２０】
本発明によれば、予め定められた付加情報を示す画像を被写体として、被写体を撮像することによって被写体像を示す画像情報を取得する撮像手段により撮像することによって得られた前記付加情報を、少なくとも前記付加情報を示す画像を除く被写体を前記撮像手段により撮像することによって取得された画像情報に付加するようにしているので、撮影によって得られた画像情報に簡易に付加情報を付加することができる、という効果が得られる。
【発明を実施するための最良の形態】
【００２１】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２２】
まず、図１を参照して、本実施の形態に係るデジタルカメラ１０の外観上の構成を説明する。
【００２３】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２４】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２６】
また、モード切替スイッチ５６Ｃは、撮影を行うモードである撮影モード及び被写体像を後述するＬＣＤ３８に再生するモードである再生モードの何れかのモードに設定する際に回転操作される。
【００２７】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２８】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、後述するバーコード撮影モードに設定するときに押圧操作されるバーコード撮影モード設定スイッチとが備えられている。
【００２９】
次に、図２を参照して、本実施の形態に係るデジタルカメラ１０の電気系の要部構成を説明する。
【００３０】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３１】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３２】
なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３６】
なお、本実施の形態のデジタルカメラ１０では、メモリ４８としてフラッシュ・メモリ（Flash Memory）が用いられ、メモリカード５２としてスマート・メディア（Smart Media（登録商標））が用いられている。
【００３７】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４１】
更に、前述のレリーズスイッチ５６Ａ、電源スイッチ５６Ｂ、モード切替スイッチ５６Ｃ、十字カーソルスイッチ５６Ｄ、メニュースイッチ、バーコード撮影モード設定スイッチ等の各種スイッチ（同図では、「操作部５６」と総称。）はＣＰＵ４０に接続されており、ＣＰＵ４０は、これらの操作部５６に対する操作状態を常時把握できる。
【００４２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４３】
ところで、本実施の形態に係るデジタルカメラ１０には、予め定められた付加情報を示す画像（ここでは、２次元コード）を被写体としてＣＣＤ２４により撮像することによって得られた前記付加情報を、少なくとも当該付加情報を示す画像を除く被写体をＣＣＤ２４により撮像することによって取得された画像データに付加するように設定する動作モードであるバーコード撮影モードが予め用意されている。
【００４４】
図３には、本実施の形態に係るバーコード撮影モードで適用対象としている２次元コード６０のデータ構造が模式的に示されている。同図に示すように、本実施の形態に係る２次元コード６０は、上記付加情報としてインデックス情報と実データが記録されるものとされている。
【００４５】
上記インデックス情報には、種別情報、有効期間情報等が含まれている。なお、上記種別情報は、上記実データとして記録されている情報の種別を示す情報であり、本実施の形態では、文字情報及び画像情報の何れか１つを示す情報が記録される。また、上記有効期間情報は、当該２次元コード６０の有効期間を示す情報であり、本実施の形態では、年月日を示す情報が記録される。
【００４６】
一方、上記実データは、それ以降のＣＣＤ２４による撮像によって取得された画像データに付加する情報の実体を示す情報であり、本実施の形態では、文字情報及び画像情報の何れか１つを示す情報が記録される。
【００４７】
なお、本実施の形態では、２次元コード６０が印刷された印刷物がデジタルカメラ１０のメーカによって提供されるものとされている。
【００４８】
次に、本実施の形態に係るデジタルカメラ１０の撮影時における全体的な動作について簡単に説明する。
【００４９】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５０】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５１】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００５２】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５３】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５４】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。なお、本実施の形態に係るデジタルカメラ１０はＥｘｉｆ（Exchangeable Image File Format）規格に対応しており、上記電子化ファイルは、Ｅｘｉｆ規格に準じたものとしてメモリカード５２に記憶される。
【００５５】
次に、図４を参照して、バーコード撮影モードが設定された際のデジタルカメラ１０の作用を説明する。なお、図４は、バーコード撮影モード設定スイッチが押圧操作された際にデジタルカメラ１０のＣＰＵ４０によって実行されるバーコード撮影モード処理プログラムの処理の流れを示すフローチャートであり、当該プログラムはメモリ４８の所定領域に予め記憶されている。
【００５６】
ここで、ユーザは、バーコード撮影モード設定スイッチを押圧操作した後、デジタルカメラ１０によって処理対象とする２次元コード６０を撮影する。
【００５７】
そこで、まず、ステップ１００では、上記撮影によって記憶されたデジタル画像データをメモリ４８から読み出すことによって当該画像データを取得し、次のステップ１０２にて、取得したデジタル画像データによって示される画像に有効な２次元コード（ここでは、一例として図３に示される構成とされた２次元コードであり、以下、「処理対象画像」という。）が含まれているか否かを判定して、肯定判定となった場合はステップ１０４に移行する。
【００５８】
ステップ１０４では、現時点が処理対象画像に含まれる有効期間情報により示される有効期間内となっているか否かを判定し、肯定判定となった場合はステップ１０８に移行する。
【００５９】
一方、上記ステップ１０２及びステップ１０４の何れかにおいて否定判定となった場合はステップ１０６に移行して、予め定められた警告画面を表示するようにＬＣＤインタフェース３６を制御し、その後に後述するステップ１１８に移行する。
【００６０】
図５（Ａ）には、上記ステップ１０６の処理によってＬＣＤ３８に表示される警告画面の表示状態が示されている。同図に示されるように、本実施の形態に係る警告画面では、付加情報の付加を行うことができないことを示すメッセージが、その理由と共に表示される。従って、当該画面を参照することにより、ユーザは、これらの事実を把握することができる。
【００６１】
一方、ステップ１０８では、予め定められた確認画面を表示するようにＬＣＤインタフェース３６を制御し、次のステップ１１０にて、所定情報の入力待ちを行う。
【００６２】
図５（Ｂ）には、上記ステップ１０８の処理によってＬＣＤ３８に表示される確認画面の表示状態が示されている。同図に示されるように、本実施の形態に係る確認画面では、それ以降の撮影によって得られた画像データ（ここでは、メモリカード５２に記録される電子化ファイル）に付加される情報（付加情報）と、当該付加情報を付加してよいか否かの指示入力を促すメッセージが、実行ボタン及び中止ボタンと共に表示される。なお、同図では図示を省略しているが、実際には、上記付加情報そのものが表示される。同図に示される確認画面が表示されると、ユーザは、表示された付加情報の付加を指示する場合は実行ボタンを、付加情報の付加を中止する場合には中止ボタンを、各々十字カーソルスイッチ５６Ｄの操作によって指定する。これに応じて、上記ステップ１１０が肯定判定となってステップ１１２に移行する。
【００６３】
ステップ１１２では、確認画面上でユーザによって実行ボタンが指定されたか否かを判定することにより、付加情報を付加するか否かを判定し、否定判定となった場合は後述するステップ１１８に移行する一方、肯定判定となった場合にはステップ１１４に移行する。
【００６４】
ステップ１１４では、メモリ４８における付加情報を付加するか否かを示すフラグとして用いられる所定領域（以下、「付加フラグ」という。）に付加することを示す情報を記憶することにより当該付加フラグをオン状態とし、次のステップ１１６にて、処理対象画像に含まれるインデックス情報及び実データ（付加情報）をメモリ４８の所定領域に記憶する。
【００６５】
次のステップ１１８では、バーコード撮影モードを終了し、その後に本バーコード撮影モード処理プログラムを終了する。
【００６６】
次に、図６を参照して、モード切替スイッチ５６Ｃの操作によって撮影モードが設定された際のデジタルカメラ１０の作用を説明する。なお、図６は、この際にデジタルカメラ１０のＣＰＵ４０によって実行される通常撮影モード処理プログラムの処理の流れを示すフローチャートであり、当該プログラムもメモリ４８の所定領域に予め記憶されている。
【００６７】
同図のステップ２００では、上記付加フラグがオン状態となっているか否かを判定し、否定判定となった場合は後述するステップ２０８に移行する一方、肯定判定となった場合にはステップ２０２に移行する。
【００６８】
ステップ２０２では、上記バーコード撮影モード処理プログラムによってメモリ４８の所定領域に記憶された付加情報を、ＣＣＤ２４により撮像することによって取得された画像データ（ここでは、電子化ファイル）に付加する期間を示す情報として予め定められた情報（以下、「付加実行期間情報」という。）を取得する。なお、上記付加実行期間情報として、本実施の形態に係るデジタルカメラ１０では、当該デジタルカメラ１０の予め定められた動作時間（ここでは、デジタルカメラ１０の電源スイッチ５６Ｂが投入されてからの動作時間（一例として３分間）、デジタルカメラ１０に対する所定操作の予め定められた実行回数（ここでは、処理対象画像を示す画像データが取得された時点からのレリーズスイッチ５６Ａの全押し操作回数（一例として１０回））、及び処理対象画像を示す画像データが取得された時点からの予め定められた経過時間（一例として１時間）の何れかの情報を適用しており、適用した情報がメモリ４８の所定領域に予め記憶されている。従って、本ステップ２０２では、メモリ４８の当該所定領域から読み出すことによって上記付加実行期間情報を取得する。
【００６９】
次のステップ２０４では、この時点が上記ステップ２０２によって取得された付加実行期間情報により示される期間内であるか否かを判定し、否定判定となった場合はステップ２０６に移行する。なお、本実施の形態に係るデジタルカメラ１０では、付加実行期間情報としてデジタルカメラ１０の予め定められた動作時間が適用されている場合は電源スイッチ５６Ｂが投入されてからの動作時間を計時し、付加実行期間情報としてデジタルカメラ１０に対する所定操作の予め定められた実行回数が適用されている場合は処理対象画像を示す画像データが取得された時点からのレリーズスイッチ５６Ａの全押し操作回数を計数し、付加実行期間情報として処理対象画像を示す画像データが取得された時点からの予め定められた経過時間が適用されている場合は当該経過時間を計時しており、本ステップ２０４では、適用されている付加実行期間情報に応じた計時値又は計数値が、上記ステップ２０２の処理によって取得した付加実行期間情報により示される期間内となっているか否かを判定する。
【００７０】
ステップ２０６では、付加フラグをオフ状態（付加情報を付加しないことを示す状態）とし、かつ付加情報をメモリ４８から消去した後にステップ２０８に移行して、付加情報を画像データに付加しない、通常の撮影モード時の処理を実行する。
【００７１】
一方、上記ステップ２０４において肯定判定となった場合にはステップ２１０に移行し、上記バーコード撮影モード処理プログラムによって記憶された付加情報をメモリ４８から読み出し、次のステップ２１２にて、読み出した付加情報に含まれる実データにより示される文字又は画像を、その後のスルー画像に対して重畳させて表示（ここでは、ＯＳＤ（On Screen Display）による表示）するようにＬＣＤインタフェース３６を設定する。この処理により、これ以降にＬＣＤ３８により表示されるスルー画像は上記文字又は画像が重畳されたものとなる。
【００７２】
次のステップ２１４では、レリーズスイッチ５６Ａが全押し状態とされるまで待機することにより撮影の実行待ちを行い、次のステップ２１６にて、当該撮影に応じてメモリカード５２にＥｘｉｆ規格にて記録する電子化ファイルにおける主画像領域に、その時点でメモリ４８に格納されている被写体を示すデジタル画像データと上記ステップ２１０の処理によって読み出した付加情報に含まれる実データとを、当該デジタル画像データにより示される被写体像に当該実データにより示される文字又は画像が重ね合わされた状態となるように合成して記録するように制御する。また、本ステップ２１６では、上記電子化ファイルにおけるタグ領域の所定領域に上記ステップ２１０の処理によって読み出した付加情報を記録するように制御する。なお、本ステップ２１６の処理が終了すると上記ステップ２１４に戻り、再び撮影の実行待ちを行う。
【００７３】
なお、本通常撮影モード処理プログラムは、再生モードに移行された時点か、又はデジタルカメラ１０の電源スイッチ５６Ｂがオフ状態とされた時点で終了する。
【００７４】
図７には、所定場所（ここでは、写真博物館）の所定位置（一例として、入場口付近の位置）に設けられた看板に、当該場所の名称を示す文字情報が実データとして含まれる２次元コード６０が印刷されている場合の当該看板の外観が示されている。
【００７５】
この場合、デジタルカメラ１０によりバーコード撮影モードを設定した状態で当該看板を撮影することにより、それ以降の所定期間内の撮影によってメモリカード５２に記録される電子化ファイルにより示される被写体像は、一例として図８に示されるように当該場所の名称が重ね合わされた状態になると共に、当該電子化ファイルのタグ領域に、撮影した２次元コード６０により示される付加情報が記録される。
【００７６】
また、図９には、所定場所（一例として、テーマパーク）の所定位置（一例として、テーマパーク内の所定アトラクション付近の位置）に設けられたポスターに、フレーム１及びフレーム２の２種類の写真フレーム画像を示す２つの２次元コード６０が印刷されている場合の当該ポスターの外観が示されている。
【００７７】
この場合、デジタルカメラ１０によりバーコード撮影モードを設定した状態で当該ポスターの何れか一方の２次元コード６０を撮影することにより、それ以降の所定期間内の撮影によってメモリカード５２に記録される電子化ファイルにより示される被写体像は、一例として図１０に示されるように、撮影した２次元コード６０に対応する写真フレーム画像が重ね合わされた状態になると共に、当該電子化ファイルのタグ領域に、撮影した２次元コード６０により示される付加情報が記録される。
【００７８】
一方、図１１には、観光スポット、有名レストラン等の複数の場所を紹介する本に対して当該複数の場所に関する文字情報又は画像情報が含まれる２次元コード６０が印刷されている場合の当該本の内部が示されている。
【００７９】
この場合、デジタルカメラ１０によりバーコード撮影モードを設定した状態で当該本の何れか１つの２次元コード６０を撮影することにより、それ以降の所定期間内の撮影によってメモリカード５２に記録される電子化ファイルにより示される被写体像は、撮影した２次元コード６０に対応する情報が重ね合わされた状態になると共に、当該電子化ファイルのタグ領域に、撮影した２次元コード６０により示される付加情報が記録される。
【００８０】
以上詳細に説明したように、本実施の形態では、予め定められた付加情報を示す画像（ここでは、２次元コード６０）を被写体として、被写体を撮像することによって被写体像を示す画像情報を取得する撮像手段（ここでは、ＣＣＤ２４）により撮像することによって得られた前記付加情報を、少なくとも前記付加情報を示す画像を除く被写体を前記撮像手段により撮像することによって取得された画像情報に付加するようにしているので、付加情報を人手により撮像装置（ここでは、デジタルカメラ１０）に入力する必要がなく、撮影によって得られた画像情報に簡易に付加情報を付加することができる。
【００８１】
また、本実施の形態では、前記付加情報と前記画像情報を関連付けて記憶手段（ここでは、メモリカード５２）に記憶することにより前記付加情報を前記画像情報に付加しているので、画像情報と付加情報との対応関係を容易に把握することができ、利便性を向上させることができる。
【００８２】
また、本実施の形態では、前記付加情報により示される画像が前記画像情報により示される被写体像に重ね合わされた状態となるように前記画像情報及び前記付加情報を合成して前記記憶手段に記憶することにより前記付加情報を前記画像情報に付加しているので、撮影画像に対して簡易に付加情報を付加することができる。
【００８３】
また、本実施の形態では、前記付加情報を文字情報又は画像情報としているので、撮影によって得られた画像情報に当該文字情報又は画像情報を簡易に付加することができる。
【００８４】
また、本実施の形態では、前記付加情報の付加を所定期間内のみにおいて行うものとしているので、当該付加情報を画像情報に付加する期間を制限することができ、利便性を向上させることができる。
【００８５】
特に、本実施の形態では、前記所定期間を、当該撮像装置の予め定められた動作時間、当該撮像装置に対する所定操作の予め定められた実行回数、及び前記付加情報を示す画像情報が取得された時点からの予め定められた経過時間の何れか１つとしているので、適用した何れかの期間内に付加情報を画像情報に付加する期間を制限することができる。
【００８６】
また、本実施の形態では、前記付加情報を、当該付加情報の有効期間を示す有効期間情報を含むものとし、前記撮像手段により前記付加情報が得られたとき、当該付加情報に含まれる有効期間情報により示される有効期間を過ぎていた場合に付加情報を付加するための処理を禁止しているので、有効期間を過ぎた付加情報の無駄な付加を未然に防止することができる。
【００８７】
更に、本実施の形態では、前記予め定められた付加情報を示す画像を２次元コードとしているので、１次元バーコードとした場合に比較して多くの付加情報を記録することができ、より大量の情報の付加に対応することができる。
【００８８】
なお、上記実施の形態では、バーコード撮影モード設定スイッチが押圧操作された際にバーコード撮影モード処理プログラムを実行する場合について説明したが、本発明はこれに限定されるものではなく、例えば、２次元コード等の特定画像を撮影した際に実行する形態等、他のタイミングでバーコード撮影モード処理プログラムを実行する形態とすることもできる。この場合も、上記実施の形態と同様の効果を奏することができる。
【００８９】
また、上記実施の形態では、付加情報を示す画像として２次元コードを適用した場合について説明したが、本発明はこれに限定されるものではなく、例えば、１次元バーコードや３次元コード等の他のコードや、本発明の付加情報を含む画像（一例として、印刷型ステガノグラフィなど）を適用する形態とすることもできる。この場合も、上記実施の形態と同様の効果を奏することができる。
【００９０】
また、上記実施の形態において、２次元コード６０のインデックス情報に処理対象とする機種を特定するための機種情報を含めておき、バーコード撮影モード処理プログラムにより、上記機種情報によって示される機種が自機でない場合に処理を中止する形態とすることもできる。この場合、自身と無関係の２次元コードについては処理を行わないようにすることができ、かつ機種別に本発明を実現することができる。
【００９１】
その他、上記実施の形態に係るデジタルカメラ１０のハードウェアの構成及び２次元コード６０の構成（図１〜図３参照。）は一例であり、本発明の主旨を逸脱しない範囲内において適宜変更可能であることは言うまでもない。
【００９２】
また、上記実施の形態において説明したバーコード撮影モード処理プログラム及び通常撮影モード処理プログラムの処理の流れ（図４及び図６参照。）も一例であり、本発明の主旨を逸脱しない範囲内において、各ステップの処理順序の変更、処理内容の変更、不要なステップの削除、新たなステップの追加等を行うことができることは言うまでもない。
【００９３】
また、上記実施の形態において説明した各種画面の表示状態（図５参照。）も一例であり、本発明の主旨を逸脱しない範囲内において変更することができることは言うまでもない。
【００９４】
更に、上記実施の形態では、本発明をデジタルカメラに適用した場合について説明したが、本発明は、ＰＤＡ、携帯電話機等、撮影機能を有する情報機器であれば如何なるものにでも適用できることは言うまでもない。
【図面の簡単な説明】
【００９５】
【図１】実施の形態に係るデジタルカメラの外観を示す外観図である。
【図２】実施の形態に係るデジタルカメラの電気系の要部構成を示すブロック図である。
【図３】実施の形態に係る２次元コードのデータ構造を示す模式図である。
【図４】実施の形態に係るバーコード撮影モード処理プログラムの処理の流れを示すフローチャートである。
【図５】実施の形態に係る各種画面の表示状態を示す図であり、（Ａ）は警告画面を示す図で、（Ｂ）は確認画面を示す図である。
【図６】実施の形態に係る通常撮影モード処理プログラムの処理の流れを示すフローチャートである。
【図７】２次元コードの具体的な提供状態を示す図であり、所定場所の所定位置に設けられた看板に２次元コードが印刷されている場合の当該看板の外観を示す外観図である。
【図８】実施の形態に係るデジタルカメラによりバーコード撮影モードを設定した状態で図７に示される看板を撮影した場合の、それ以降の所定期間内の撮影によって記録される電子化ファイルにより示される被写体像の状態例を示す概略図である。
【図９】２次元コードの他の具体的な提供状態を示す図であり、所定場所の所定位置に設けられたポスターに２種類の写真フレーム画像を示す２つの２次元コードが印刷されている場合の当該ポスターの外観を示す外観図である。
【図１０】実施の形態に係るデジタルカメラによりバーコード撮影モードを設定した状態で図９に示されるポスターを撮影した場合の、それ以降の所定期間内の撮影によって記録される電子化ファイルにより示される被写体像の状態例を示す概略図である。
【図１１】２次元コードの他の具体的な提供状態を示す図であり、観光スポット、有名レストラン等の複数の場所を紹介する本に対して当該複数の場所に関する文字情報又は画像情報が含まれる２次元コードが印刷されている場合の当該本の内部を示す図である。
【符号の説明】
【００９６】
１０    デジタルカメラ
２４    ＣＣＤ（撮像手段）
３８    ＬＣＤ
４０    ＣＰＵ（付加手段、禁止手段）
４８    メモリ
５２    メモリカード（記憶手段）
６０    ２次元コード
【図１】
2007288424.tif 000003
【図２】
2007288424.tif 000004
【図３】
2007288424.tif 000005
【図４】
2007288424.tif 000006
【図５】
2007288424.tif 000007
【図６】
2007288424.tif 000008
【図７】
2007288424.tif 000009
【図８】
2007288424.tif 000010
【図９】
2007288424.tif 000011
【図１０】
2007288424.tif 000012
【図１１】
2007288424.tif 000013